(57)【要約】【課題】例えば、配線の敷設作業がより容易に行われる等、より不都合の少ない新規な構成のスイッチギヤを得る。【解決手段】実施形態のスイッチギヤは、例えば、筐体と、分割体と、を備える。分割体は、筐体の天壁上に設けられ、配線を案内するガイドを構成する分割体であって、複数の筐体が第一の方向に沿って並べられた場合に当該複数の分割体が第一の方向に並び当該第一の方向に沿った一連のガイドを構成する。【選択図】図１
2018067982.tif 000002
【特許請求の範囲】
【請求項１】
筐体と、
前記筐体の天壁上に設けられ、配線を案内するガイドを構成する分割体であって、複数の前記筐体が第一の方向に沿って並べられた場合に当該複数の前記分割体が前記第一の方向に並び当該第一の方向に沿った一連の前記ガイドを構成する、前記分割体と、
を備えた、スイッチギヤ。
【請求項２】
前記筐体は、横方向に沿った第二の方向に向けて前記筐体外に開放された開口部を開閉可能に覆う扉を有し、
前記分割体は、前記第二の方向と交差した方向に沿って延びた、請求項１に記載のスイッチギヤ。
【請求項３】
前記分割体を構成する壁に設けられ、前記配線の端子を結線する端子を有した端子台を備えた、請求項１または２に記載のスイッチギヤ。
【請求項４】
前記筐体は、横方向に沿った第二の方向に向けて前記筐体外に開放された開口部を開閉可能に覆う扉を有し、
前記分割体は、前記第二の方向と交差した方向に沿って延び、
前記端子台は、前記壁の、前記第二の方向を向いた面に設けられた、請求項３に記載のスイッチギヤ。
【請求項５】
前記分割体を開閉可能に上方から覆う蓋、を備えた、請求項１〜４のうちいずれか一つに記載のスイッチギヤ。
【発明の詳細な説明】
【技術分野】
【０００１】
本発明の実施形態は、スイッチギヤに関する。
【背景技術】
【０００２】
従来、筐体と、筐体の天壁上に設けられたケーブル端末処理箱と、を備えたスイッチギヤが、知られている。
【先行技術文献】
【特許文献】
【０００３】
【特許文献１】特開２０１４−２３６５８５号公報
【発明の概要】
【発明が解決しようとする課題】
【０００４】
上記従来の構造では、スイッチギヤが建物内に設置される場合にあっては、スイッチギヤの各筐体と接続される配線は、建物の天井からつり下げられたケーブルラック上で配索されていた。この種のスイッチギヤでは、例えば、配線の敷設作業がより容易に行われる等、より不都合の少ない新規な構成が得られれば、好ましい。
【課題を解決するための手段】
【０００５】
実施形態のスイッチギヤは、例えば、筐体と、分割体と、を備える。分割体は、筐体の天壁上に設けられ、配線を案内するガイドを構成する分割体であって、複数の筐体が第一の方向に沿って並べられた場合に当該複数の分割体が第一の方向に並び当該第一の方向に沿った一連のガイドを構成する。
【図面の簡単な説明】
【０００６】
【図１】図１は、第１実施形態のスイッチギヤの例示的かつ模式的な斜視図である。
【図２】図２は、図１の一部の拡大図である。
【図３】図３は、図１のIII−III断面図である。
【図４】図４は、図１のIV−IV断面図である。
【図５】図５は、第２実施形態のスイッチギヤの蓋の閉位置での例示的かつ模式的な断面図である。
【図６】図６は、第２実施形態のスイッチギヤの蓋の開位置での例示的かつ模式的な断面図である。
【図７】図７は、第３実施形態のスイッチギヤの例示的かつ模式的な斜視図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、互いに直交する三方向が定義されている。Ｘ方向は、筐体２の幅方向に沿い、Ｙ方向は、筐体２の前後方向に沿い、Ｚ方向は、筐体２の高さ方向に沿う。Ｘ方向は、第一の方向の一例であり、Ｙ方向は、第二の方向の一例である。
【０００９】
＜第１実施形態＞
図１に示されるように、スイッチギヤ１は、複数（例えば、四つ）の筐体２を備えており、例えば、建物の電気室１０等に設置されている。スイッチギヤ１は、遮断器や保護継電器等が金属製の筐体２内に収容された、所謂金属閉鎖形スイッチギヤである。筐体２は、盤や、閉鎖箱等とも称されうる。なお、筐体２には、例えば、遮断器、計器用変成器等を有し主に電力を受電する受電盤や、遮断器、変流器、零相変流器等を介して負荷供給用のケーブルが引き出されるフィーダ盤、主母線を系統毎に遮断器によって切り分ける母線連絡盤等が含まれている。
【００１０】
また、電気室１０には、スイッチギヤ１以外の他設備３や、ケーブルラック４等が設置されている。他設備３は、例えば、スイッチギヤ１とは別のスイッチギヤや、受変電設備等である。図１に示されるように、他設備３は、スイッチギヤ１とＸ方向に間隔をあけて位置されている。なお、スイッチギヤ１と他設備３との間の空間Ｓには、電気室１０内の他の設備等が設けられてもよいし、設けられなくてもよい。
【００１１】
ケーブルラック４は、吊り部材５および支持部材６によって、電気室１０の天井から吊り下げられている。ケーブルラック４上には、スイッチギヤ１と他設備３とを電気的に接続する配線１１が配索される。ケーブルラック４は、空間Ｓの上方（Ｚ方向）に位置され、少なくとも空間Ｓと面する範囲内でＸ方向に沿って延びている。配線１１は、ケーブルラック４を介して、スイッチギヤ１と他設備３との間に架け渡されている。配線１１は、例えば、多芯ケーブル等によって構成されうる。なお、ケーブルラック４は、はしご型には限定されず、例えば、配線１１の下方への露出が抑制されるトレイ型であってもよい。
【００１２】
図１に示されるように、スイッチギヤ１の筐体２は、例えば、Ｘ方向に短い偏平な直方体状の箱型に構成されている。筐体２は、複数の壁部２ａ〜２ｆを有する。壁部２ａおよび壁部２ｂは、いずれも、Ｚ方向と直交する方向（ＸＹ平面）に沿って延びており、Ｚ方向に間隔をあけて互いに平行に設けられている。壁部２ａは、天壁部や上壁部等と称され、壁部２ｂは、底壁部や下壁部等と称されうる。壁部２ａは、天壁の一例である。
【００１３】
また、壁部２ｃおよび壁部２ｅは、いずれも、Ｘ方向と直交する方向（ＹＺ平面）に沿って延びており、Ｘ方向に間隔をあけて互いに平行に設けられている。また、壁部２ｄおよび壁部２ｆは、いずれも、Ｙ方向と直交する方向（ＸＺ平面）に沿って延びており、Ｙ方向に間隔をあけて互いに平行に設けられている。壁部２ｄは、前壁部等と称され、壁部２ｆは、後壁部等と称されうる。
【００１４】
また、図３，４に示されるように、壁部２ｄ，２ｆには、それぞれ、作業用の開口部２ｄ１，２ｆ１が設けられている。開口部２ｄ１，２ｆ１は、壁部２ｄ，２ｆをＹ方向に貫通した貫通孔である。そして、開口部２ｄ１，２ｆ１は、図３，４に示される扉７，９によって開閉可能に覆われている。扉７，９は、壁部２ｄ，２ｆの一部を構成しており、筐体２にＺ方向に沿って延びる不図示の回転軸を有したヒンジ部を介して回転可能に支持されている。扉７，９は、回転軸回りに回転することで、開口部２ｄ１，２ｆ１を閉じる閉位置（図３，４参照）と、開口部２ｄ１，２ｆ１を開放する開位置との間で、移動可能である。
【００１５】
また、筐体２内には、不図示の隔壁部によってＹ方向に仕切られた複数の室１６，１７が設けられている。室１６（図４参照）内には、遮断器等のスイッチギヤ１の主回路を構成する機器が配置され、室１７（図３参照）内には、スイッチギヤ１の制御回路を構成する機器が配置されている。室１６は、主回路室等とも称され、室１７は、制御室等とも称されうる。
【００１６】
また、壁部２ａには、室１６の開口部２ａ１と室１７の開口部２ａ２とが設けられている。図４に示されるように、開口部２ａ１は、壁部２ａのＹ方向の反対方向の端部に位置されており、配線１２が通っている。配線１２は、端子台２０に接続されている。室１６に配置された機器は、図４に示される導電部材１４や、接続部材１５、配線１２、端子台２０、および配線１１（図１参照）等を介して、他設備３の機器と電気的に接続される。なお、導電部材１４と接続部材１５、および配線１２と接続部材１５とは、それぞれ、不図示のねじ等の結合具によって互いに結合されうる。
【００１７】
また、図３に示されるように、開口部２ａ２は、壁部２ａのＹ方向の端部に位置されており、配線１３が通っている。配線１３は、端子台２０（図２，３参照）に接続されている。室１７に配置された機器は、図３に示される配線１８や、端子台１９、配線１３、端子台２０、および配線１１等を介して、他設備３の機器と電気的に接続される。
【００１８】
図１に示されるように、スイッチギヤ１は、複数の筐体２がＸ方向に一列に並べられた状態で、電気室１０に設置されている。そして、本実施形態では、各筐体２の壁部２ａ（天壁）には、分割体８Ａが設けられており、これら分割体８Ａは、複数の筐体２がＸ方向に沿って並べられた場合にＸ方向に沿って延びる一連のガイド８を構成している。図３，４にも示されるように、本実施形態では、分割体８Ａは、壁部２ａの開口部２ａ１，２ａ２のそれぞれに対応して設けられている。すなわち、スイッチギヤ１には、複数（四つ）の筐体２に渡ってＸ方向に延びる互いに平行な二つのガイド８が設けられている。ガイド８は、ケーブルラックや、配線ケース等とも称されうる。配線１２，１３は、ガイド８内あるいはガイド８上を配索される。
【００１９】
図２に示されるように、分割体８Ａは、Ｘ方向と直交したＨ字状の断面を有している。分割体８Ａは、複数の壁部８ａ〜８ｃを有する。図３，４にも示されるように、壁部８ａ，８ｃは、Ｙ方向に互いに離間し、壁部２ｄ，２ｆ（ＸＺ平面）に沿って延び、かつ互いに平行である。また、壁部８ｂは、壁部８ａ，８ｃのＺ方向の中央部間を接続し、壁部２ａ，２ｂ（ＸＹ平面）に沿って延びている。
【００２０】
また、壁部８ｂには、開口部８ｂ１が設けられている。開口部８ｂ１は、少なくとも配線１２，１３よりも大きな幅を有し、壁部８ｂを部分的に貫通している。図３，４に示されるように、開口部８ｂ１と開口部２ａ１、および開口部８ｂ１と開口部２ａ２とは、それぞれ、Ｚ方向に並んでいる。
【００２１】
また、分割体８Ａ（ガイド８）内では、壁部８ｂによって、下側空間８ｅと、上側空間８ｆと、が区画されている。下側空間８ｅは、壁部８ｂと、壁部８ａ，８ｃの一部（下側部分）と、壁部２ａとによって囲まれた空間であり、Ｘ方向に沿って延びている。また、上側空間８ｆは、壁部８ｂと、壁部８ａ，８ｃの一部（上側部分）とによって囲まれた空間であり、Ｘ方向に沿って延びている。本実施形態では、このような二段構造によって、下側空間８ｅおよび上側空間８ｆのそれぞれに配線１２，１３を配索可能である。下側空間８ｅは、第一の通路や、下側通路等とも称され、上側空間８ｆは、第二の通路や、上側通路等とも称されうる。分割体８Ａは、壁部２ａに、例えば、ねじ等の結合具や、接着剤、両面テープ等によって結合されうる。
【００２２】
また、図２に示されるように、Ｙ方向側のガイド８を構成する分割体８Ａのうち少なくともいずれか一つ、例えば、Ｘ方向の端部に位置された分割体８Ａには、端子台２０が設けられている。端子台２０は、分割体８Ａの壁部８ｃの面８ｃ１に設けられている。壁部８ｃは、分割体８Ａの壁部８ａ，８ｃのうち扉７（図３参照）とは反対側、すなわち扉７から離間した壁部である。また、面８ｃ１は、壁部８ｃの上側空間８ｆと面した面であり、Ｙ方向を向いた面である。端子台２０は、配線１１，１３のそれぞれの端子を結線する端子２０ａ（図２参照）を有している。
【００２３】
また、図４に示されるように、Ｙ方向の反対方向側のガイド８についても、Ｘ方向の端部に位置された分割体８Ａに、端子台２０が設けられている。この端子台２０は、分割体８Ａの壁部８ａの面８ａ１に設けられている。壁部８ａは、分割体８Ａの壁部８ａ，８ｃのうち扉９とは反対側、すなわち扉９から離間した壁部である。また、面８ａ１は、壁部８ａの上側空間８ｆと面した面であり、Ｙ方向の反対方向を向いた面である。このように、端子台２０は、分割体８Ａの扉７，９とは反対側の壁部８ｃ，８ａに設けられているため、例えば、端子台２０が扉７，９側の壁部８ａ，８ｃに設けられた場合と比べて、配線１１〜１３の端子の結線作業が、扉７，９側（横方向）からより容易に行われやすい。なお、本実施形態では、図１に示される他設備３についても、筐体３１の天壁上に、複数の筐体３１がＸ方向に沿って並べられた場合にＸ方向に沿って延びる一連のガイド３２を構成する分割体３２Ａが設けられている。
【００２４】
以上のように、本実施形態では、例えば、スイッチギヤ１は、筐体２と、筐体２の壁部２ａ（天壁）上に設けられ、配線１１〜１３を案内するガイド８を構成する分割体８Ａであって、複数の筐体２がＸ方向（第一の方向）に沿って並べられた場合に複数の分割体８ＡがＸ方向に並び当該Ｘ方向に沿った一連のガイド８を構成する、分割体８Ａと、を備える。よって、本実施形態によれば、例えば、スイッチギヤ１に設けられたガイド８（分割体８Ａ）に配線１１〜１３を配索することができる。よって、本実施形態によれば、少なくともスイッチギヤ１と面する範囲内においては電気室１０の天井にケーブルラック４を設置しなくて済む。よって、例えば、建物側のケーブルラック４がより短くあるいはより少なく構成されやすくなり、ひいては配線１１〜１３の設置作業が、より容易に、あるいはより迅速に行われやすい。また、ガイド８によって、スイッチギヤ１のＸ方向の端部から複数の配線１１〜１３をまとめてケーブルラック４に敷設することができるようになるという利点もある。
【００２５】
また、本実施形態では、例えば、筐体２は、横方向に沿ったＹ方向（第二の方向）に向けて筐体２外に開放された開口部２ｄ１，２ｆ１を開閉可能に覆う扉７，９を有し、分割体８Ａは、Ｙ方向と交差したＸ方向に沿って延びている。よって、本実施形態によれば、例えば、Ｙ方向、すなわち扉７，９の開閉方向と交差した複数の筐体２が並ぶＸ方向に沿って延びたガイド８に、配線１１〜１３を配索することができる。
【００２６】
また、本実施形態では、例えば、分割体８Ａを構成する壁部８ｃ，８ａ（壁）に設けられ、配線１１〜１３の端子を結線する端子２０ａを有した端子台２０を備える。よって、本実施形態によれば、例えば、端子台２０によって、配線１１〜１３の設置作業が、より一層容易に行われやすい。
【００２７】
また、本実施形態では、例えば、端子台２０は、分割体８Ａの扉７とは反対側の壁部８ｃの、Ｙ方向を向いた面８ｃ１に設けられている。よって、本実施形態によれば、例えば、端子台２０が扉７側の壁部８ａに設けられた場合と比べて、配線１１，１３の端子の結線作業が、扉７側（横方向）からより容易に行われやすい。
【００２８】
＜第２実施形態＞
図５，６に示される実施形態のスイッチギヤ１Ａは、上記第１実施形態のスイッチギヤ１と同様の構成を備えている。よって、本実施形態によっても、上記第１実施形態と同様の構成に基づく同様の結果（効果）が得られる。
【００２９】
ただし、本実施形態では、例えば、図５，６に示されるように、スイッチギヤ１Ａが分割体８Ｂを開閉可能に上方から覆う蓋８ｘを備える点が、上記第１実施形態と相違している。分割体８Ｂは、図５の視線で、Ｚ方向の反対方向に向けて開放された略Ｕ字状の断面を有している。分割体８Ｂは、壁部８ａ，８ｃと、壁部８ｄと、を有する。壁部８ｄは、壁部８ａ，８ｃのＺ方向の端部間を接続し、壁部２ａ，２ｂ（ＸＹ平面）に沿って延びている。また、壁部８ｄには、開口部８ｄ１が設けられている。開口部８ｄ１は、壁部８ｄをＺ方向に貫通した貫通孔である。そして、開口部８ｄ１は、図５，６に示される蓋８ｘによって開閉可能に覆われている。蓋８ｘは、壁部８ｄの一部を構成しており、分割体８ＢにＸ方向に沿って延びる不図示の回転軸を有したヒンジ部を介して回転可能に支持されている。蓋８ｘは、回転軸回りに回転することで、開口部８ｄ１を閉じる閉位置（図５参照）と、開口部８ｄ１を開放する開位置（図６参照）との間で、移動可能である。よって、本実施形態によれば、例えば、蓋８ｘによって、分割体８Ｂの内側空間８ｇへの塵芥や、水滴、小動物等の侵入を抑制することができる。内側空間８ｇは、壁部８ａ，８ｃと、壁部８ｄと、壁部２ａとによって囲まれた空間であり、Ｘ方向に沿って延びている。内側空間８ｇは、通路等とも称されうる。
【００３０】
＜第３実施形態＞
図７に示される実施形態のスイッチギヤ１Ｂは、上記第１実施形態のスイッチギヤ１と同様の構成を備えている。よって、本実施形態によっても、上記第１実施形態と同様の構成に基づく同様の結果（効果）が得られる。
【００３１】
ただし、本実施形態では、例えば、図７に示されるように、ケーブルラック４Ａがスイッチギヤ１Ｂのガイド８と他設備３のガイド３２との間に渡って設けられている点が、上記第１実施形態と相違している。ケーブルラック４Ａは、筐体２の壁部２ａ，２ｂ，２ｄ，２ｆに沿った角筒状に構成され、Ｘ方向に沿って延びている。ケーブルラック４Ａは、ガイド８，３２に、例えば、ねじ等の結合具や、接着剤、両面テープ等によって結合されうる。このように、本実施形態では、ガイド８，３２、およびケーブルラック４Ａによって、Ｘ方向に沿って延び互いに繋がった一連のガイドが構成されている。よって、本実施形態によれば、例えば、電気室１０の天井にケーブルラック４（図１参照）を設置しなくて済み、ひいては配線１１〜１３の設置作業が、より容易に、あるいはより迅速に行われやすい。
【００３２】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３３】
１，１Ａ，１Ｂ…スイッチギヤ、２…筐体、２ａ…壁部（天壁）、２ｄ１，２ｆ１…開口部、７，９…扉、８…ガイド、８Ａ，８Ｂ…分割体、８ｃ，８ａ…壁部（壁）、８ｘ…蓋、１１〜１３…配線、２０…端子台、２０ａ…端子、Ｘ…第一の方向、Ｙ…第二の方向。
【図１】
2018067982.tif 000003
【図２】
2018067982.tif 000004
【図３】
2018067982.tif 000005
【図４】
2018067982.tif 000006
【図５】
2018067982.tif 000007
【図６】
2018067982.tif 000008
【図７】
2018067982.tif 000009